(57)【要約】【課題】高圧引下用碍子を棒状にして、梱包や運搬及び作業時の碍子の扱いを容易にする。また、高圧引下用絶縁電線の折曲が容易な特性を活用し、碍子の突出体に直接固着することにより、ビニル被服銅バインドによるバインド打ち、又は高圧引下線グリップの巻付の、労力や作業時間及び材料費を低減することを目的とする。【解決手段】棒状絶縁物の片端に掛止用突出体と巻着用突出体を併設し、もう一方の端にバインドレス碍子取付金具用貫通孔を穿設した高圧引下用バインドレス碍子を、バインドレス碍子取付金具により吊着し、高圧引下用絶縁電線の縁線側を、巻着用突出体に巻着し、次に高圧引下用絶縁電線の引下側（又は引上側）を、巻着用突出体又は掛止用突出体に巻着又は掛止し、高圧引下用絶縁電線の縁線側と引下側（又は引上側）が咬合し、高圧引下用絶縁電線の引下側（又は引上側）を張設し固着する。【選択図】　　　　　図１
2004095305.tif 000002
【特許請求の範囲】
【請求項１】
棒状絶縁物の片端に掛止用突出体と巻着用突出体を併設し、もう一方の端にバインドレス碍子取付金具用貫通孔を穿設した高圧引下用バインドレス碍子。
【請求項２】
棒状絶縁物の片端に複数の巻着用突出体を並設し、もう一方の端にバインドレス碍子取付金具用貫通孔を穿設した高圧引下用バインドレス碍子。
【請求項３】
巻着用突出体とバインドレス碍子取付金具用貫通孔の間に絶縁用条溝を刻設した請求項２記載の高圧引下用バインドレス碍子。
【請求項４】
掛止用突出体を併設した請求項３記載の高圧引下用バインドレス碍子。
【請求項５】
請求項１又は２及び３又は４記載の高圧引下用バインドレス碍子を用いて、高圧引下用絶縁電線の固着においては、先ず高圧引下用絶縁電線の縁線側を、巻着用突出体に巻着し、次に高圧引下用絶縁電線の引下側（又は引上側）を、巻着用突出体又は掛止用突出体に巻着又は掛止し、高圧引下用絶縁電線の縁線側と引下側（又は引上側）が咬合し、高圧引下用絶縁電線の引下側（又は引上側）を張設し、固着することを特徴とする固着方法。
【発明の詳細な説明】
【０００１】
【発明が属する技術分野】
この発明は、高圧引下用絶縁電線を固着する碍子及び固着方法に関するものである。
【０００２】
【従来の技術】
従来の配電設備で、高圧引下用絶縁電線を固着する碍子は、高圧引留碍子、又は高圧ピン碍子であり、高圧引下用絶縁電線を、ビニル被服銅バインド線によるバインド打ち、又は高圧引下線グリップの巻付けにより固着している。従って、大きさも大きく、扱いも不便であった。また、電線を固着するためにかなりの労力と時間をかけるか、高価な固着用資材を使用する必要があった。
【０００３】
【発明が解決しようとする課題】
そこで、この発明は、高圧引下用碍子を棒状にして、梱包や運搬及び作業時の碍子の扱いを容易にする。また、高圧引下用絶縁電線の折曲が容易な特性を活用し、碍子の突出体に直接固着することにより、ビニル被服銅バインドによるバインド打ち、又は高圧引下線グリップの巻付の、労力や作業時間及び材料費を低減することを目的とする。
【０００４】
【課題を解決するための手段】
この発明は、棒状絶縁物の片端に掛止用突出体と巻着用突出体を併設し、もう一方の端にバインドレス碍子取付金具用貫通孔を穿設した高圧引下用バインドレス碍子を、バインドレス碍子取付金具により吊着し、高圧引下用絶縁電線の縁線側を、巻着用突出体に巻着し、次に高圧引下用絶縁電線の引下側（又は引上側）を、巻着用突出体又は掛止用突出体に巻着又は掛止し、高圧引下用絶縁電線の縁線側と引下側（又は引上側）が咬合し、高圧引下用絶縁電線の引下側（又は引上側）を張設し固着する。
別の解決するための手段として、棒状絶縁物の片端に複数の巻着用突出体を並設し、もう一方の端にバインドレス碍子取付金具用貫通孔を穿設した高圧引下用バインドレス碍子を、バインドレス碍子取付金具により吊着し、高圧引下用絶縁電線の縁線側を、巻着用突出体に巻着し、次に高圧引下用絶縁電線の引下側（又は引上側）を、巻着用突出体に巻着し、高圧引下用絶縁電線の縁線側と引下側（又は引上側）が咬合し、高圧引下用絶縁電線の引下側（又は引上側）を張設し固着する。
更に別の解決するための手段として、巻着用突出体とバインドレス碍子取付金具用貫通孔の間に絶縁用条溝を刻設し、沿面放電距離を長くすることによって、高圧引下用バインドレス碍子の小型化を図るものである。
【０００５】
【発明の実施の形態】
発明の実施の形態を実施例にもとづき図面を参照して説明する。
図１に示される実施例では、棒状絶縁物の片端に掛止用突出体３と複数の巻着用突出体２ａ２ｂを併設し、もう一方の端にバインドレス碍子取付金具用貫通孔５を穿設した高圧引下用バインドレス碍子１を、バインドレス碍子取付金具７により吊着し、高圧引下用絶縁電線の縁線側６ｂを、巻着用突出体２ａ２ｂに巻着し、次に高圧引下用絶縁電線の引下側（又は引上側）６ａを、巻着用突出体２ａ及び掛止用突出体３に巻着及び掛止し、高圧引下用絶縁電線の縁線側６ｂと引下側（又は引上側）６ａが咬合し、高圧引下用絶縁電線の引下側（又は引上側）６ａを張設し固着するものである。
【０００６】
図１０に示される実施例では、棒状絶縁物の片端に複数の巻着用突出体２ａ２ｂを並設し、もう一方の端にバインドレス碍子取付金具用貫通孔５を穿設した高圧引下用バインドレス碍子１を、バインドレス碍子取付金具７により吊着し、高圧引下用絶縁電線の縁線側６ｂを、巻着用突出体２ａ２ｂに巻着し、次に高圧引下用絶縁電線の引下側（又は引上側）６ａを、巻着用突出体２ａに巻着し、高圧引下用絶縁電線の縁線側６ｂと引下側（又は引上側）６ａが咬合し、高圧引下用絶縁電線の引下側（又は引上側）６ａを張設し固着するものである。
【発明の効果】
この発明によると、高圧引下用バインドレス碍子を棒状し、絶縁用条溝を刻設することにより、沿面放電距離を長くし、小型化できるため、梱包や運搬及び作業時の碍子の扱いを容易にできる極めて有益なる効果を有するものである。
また、高圧引下用絶縁電線の折曲が容易な特性を活用し、碍子の突出体に直接固着することにより、工事の労力や作業時間及び材料費を低減できる極めて有益なる効果を有するものである。
【図面の簡単な説明】
【図１】この発明の一実施例を示す斜視図である。
【図２】この発明の使用方法を示す斜視図である。
【図３】この発明の使用状態を示す模式説明図である。
【図４】この発明の一実施例を示す正面図である。
【図５】この発明の一実施例を示す背面図である。
【図６】この発明の一実施例を示す左側面図である。
【図７】この発明の一実施例を示す右側面図である。
【図８】この発明の一実施例を示す上面図である。
【図９】この発明の一実施例を示す底面図である。
【図１０】この発明の他の実施例を示す斜視図である。
【図１１】この発明の他の使用方法を示す斜視図である。
【図１２】この発明の他の実施例を示す正面図である。
【図１３】この発明の他の実施例を示す背面図である。
【図１４】この発明の他の実施例を示す左側面図である。
【図１５】この発明の他の実施例を示す右側面図である。
【図１６】この発明の他の実施例を示す上面図である。
【図１７】この発明の他の実施例を示す底面図である。
【符号の説明】
１　高圧引下用バインドレス碍子
２ａ　巻着用突出体ａ
２ｂ　巻着用突出体ｂ
３　掛止用突出体
４　絶縁用条溝
５　バインドレス碍子取付金具用貫通孔
６ａ　高圧引下用絶縁電線（引下側又は引上側）
６ｂ　高圧引下用絶縁電線（縁線側）
７　バインドレス碍子取付金具
８　電柱
９　変圧器
１０　高圧カットアウト
【図１】
2004095305.tif 000003
【図２】
2004095305.tif 000004
【図３】
2004095305.tif 000005
【図４】
2004095305.tif 000006
【図５】
2004095305.tif 000007
【図６】
2004095305.tif 000008
【図７】
2004095305.tif 000009
【図８】
2004095305.tif 000010
【図９】
2004095305.tif 000011
【図１０】
2004095305.tif 000012
【図１１】
2004095305.tif 000013
【図１２】
2004095305.tif 000014
【図１３】
2004095305.tif 000015
【図１４】
2004095305.tif 000016
【図１５】
2004095305.tif 000017
【図１６】
2004095305.tif 000018
【図１７】
2004095305.tif 000019